(57)【特許請求の範囲】
【請求項１】
無線通信を行う、プロセッサおよびＯＳを搭載した通信部と、
通信ネットワークに接続する接続部と、
前記接続部を介して外部より電力の制御に関する指示を取得する取得部と、
前記取得部より取得した指示に基づき、前記通信部への電力の供給がＯＮおよびＯＦＦのいずれかになるよう制御する電力制御部と、
を備え、
前記電力制御部は、前記指示を前記ＯＳの起動または停止処理中に取得したとき、該ＯＳの起動または停止処理が完了してから該指示に応じた制御を行うことを特徴とする無線通信装置。
【発明の詳細な説明】
【技術分野】
【０００１】
本発明は、無線通信装置の電源制御に関するものである。
【背景技術】
【０００２】
図５に従来の無線通信装置の電源制御の構成図を示す。無線通信装置１００は、本体スイッチ１０１を備え、本体スイッチ１０１で電源のＯＮおよびＯＦＦを行っている。また、本体スイッチ１０１以外にも、独自インターフェイスを有する遠隔操作用スイッチ１０２を用い、無線通信装置１００の電源のＯＮおよびＯＦＦを行っている。
【０００３】
図６にソフトウェア無線通信装置の電源制御構成図を示す。ソフトウェア無線通信装置２００の場合、ＬＡＮを用いてネットワークに接続する。本体に備えついている電源スイッチ２０１よりソフトウェア無線通信装置２００の電源のＯＮおよびＯＦＦの制御は可能であるが、ネットワークに接続されている制御端末２０２や無停電電源装置２０３からの電源制御はＯＦＦのみにしか対応していない。また、ネットワークを介して制御する場合は、電源制御の指示を受けるためソフトウェア無線通信装置２００を制御するプロセッサ２０４を待機状態にしておく必要があり、プロセッサ２０４に電力を常に供給する必要がある。
【０００４】
また、本発明の関連ある従来技術として、中央制御装置により通信ネットワークを介して遠隔制御される端末装置において、表示部の無用な電源投入を防止して無用の電力消費を無くし、かつ表示素子の寿命を延長させるために、端末装置の表示部の電源を、表示部以外の端末装置の電源とは独立にオン・オフさせる電源制御部を有する端末装置が開示されている（例えば特許文献１）。
【０００５】
【特許文献１】特開平９−２４７２３３号公報
【発明の開示】
【発明が解決しようとする課題】
【０００６】
しかしながら、図５の無線通信装置１００においては、本体スイッチ１０１で電源のＯＮまたはＯＦＦを行う場合、無線通信装置１００までユーザが近づき、本体スイッチ１０１を操作する必要があり、その運用に手間がかかる。また、遠隔操作にて無線通信装置１００の電源のＯＮまたはＯＦＦを行う場合、その独自インターフェイスを無線通信装置１００から配線しなくてはならない。そのため、独自の配線をする必要があり、他機種との共通化の観点で問題がある。
【０００７】
図６のソフトウェア無線通信装置２００の場合、ネットワークを介する電源制御はＯＦＦのみであるため、利便性に問題がある。またプロセッサ２０４はソフトウェア無線通信装置２００の無線通信機能および無線通信の性能を実現するものであるため、処理能力が高く、その分消費電力も高い。さらにプロセッサを複数個備えたソフトウェア無線通信装置も多く、この場合は待機状態であっても大きな電力を消費してしまう。
【０００８】
本発明は上述した問題点を解決するためになされたものであり、通信ネットワークの代表としてＬＡＮを用いたネットワークから、遠隔操作で電源制御（ＯＮおよびＯＦＦ）ができる無線通信装置を提供することを目的とする。
【課題を解決するための手段】
【０００９】
上述した課題を解決するため、本発明の無線通信装置の一態様は、無線通信を行う通信部と、通信ネットワークに接続する接続部と、前記接続部を介して外部より電力の制御に関する指示を取得する取得部と、前記取得部より取得した指示に基づき、前記通信部への電力の供給がＯＮおよびＯＦＦのいずれかになるよう制御する電力制御部とを備えるものである。
【発明の効果】
【００１０】
本発明によれば、通信ネットワークを介して無線通信装置における通信部への電源供給のＯＮまたはＯＦＦの制御を遠隔操作することができる。
【発明を実施するための最良の形態】
【００１１】
以下、図面を参照して本発明の実施の形態について説明する。
【００１２】
図１に本実施の形態における無線通信装置および電源制御システムの構成図を示す。無線通信装置３００は本体に電源ＯＮまたは電源ＯＦＦを行うための本体スイッチ３０１、電源制御を判断し、モジュール３０５へ電源供給を行う電源部３０４、無線通信装置３００の無線通信機能および性能を実現するためのプロセッサおよびＯＳ（オペレーティングシステム）を備えたモジュール３０５を備える。また、無線通信装置３００は、さまざまな周波数帯の通信に対応させるための電力増幅器３０６が接続される。電力増幅器３０６は、その先にアンテナ３０７が接続される。これらの器材はＬＡＮ（Ｌｏｃａｌ  Ａｒｅａ  Ｎｅｔｗｏｒｋ）を用いたネットワーク（通信ネットワーク）に接続され、各器材の制御はネットワークを介して制御端末３０２から行われる。
【００１３】
本実施の形態は、本体スイッチ３０１およびネットワークを介した制御端末３０２の操作により信号（電源の制御に関する指示）を電源部３０４が判断し、さらに電源部３０４は無線通信機能を実現するモジュール３０５に対し電源供給がＯＮまたはＯＦＦになるよう制御を行う。また電源部３０４は、電源供給のＯＮまたはＯＦＦを行う際にモジュール３０５におけるＯＳの安全な起動および停止を考慮した制御を行う。さらに、電源部３０４は、無停電電源装置３０３からの電源断情報もネットワークを介して受け、電源供給の制御を行う。
【００１４】
主電源３０８は無停電電源装置３０３から電源部３０４に対する電源供給についてのＯＮまたはＯＦＦを行うのみであり、無線通信装置３００の無線通信機能の起動および停止は行われない。また液晶パネル３０９は、無線通信装置３００の電源制御に基づく動作状態を表示することで、ユーザは動作状態を確認することが可能である。尚、制御端末３０２も同様の表示をすることが可能である。
【００１５】
図２に、本実施の形態における電源部３０４の構成図を示す。電源部３０４は、ＬＡＮインターフェイス４０１、制御回路４０２、ラッチ回路４０４、電源出力回路４０５、補助電源回路４０８を備える。
【００１６】
ＬＡＮインターフェイス４０１は、ネットワークから情報（電源の制御に関する指示）を取得する。
【００１７】
制御回路４０２は、ＬＡＮインターフェイス４０１からの情報を取得し、電源のＯＮまたはＯＦＦを識別する。また制御回路４０２はネットワークおよびモジュール３０５からの情報を識別するため、プロセッサおよびメモリを備える。さらに制御回路４０２は、モジュール３０５のＯＳの起動停止を認識するため、ラッチ回路４０４に接続されている。
【００１８】
ラッチ回路４０４は、本体スイッチ３０１、または制御回路４０２からの信号を受け、電源出力回路４０５のモジュール３０５に対する電力の供給がＯＮまたはＯＦＦとなるよう制御する。またラッチ回路４０４は、モジュール３０５のＯＳの起動停止処理中は安全性を確保するため、ＯＳの起動停止処理中は本体スイッチ３０１および制御回路４０２からの信号を受けても電源出力回路４０５のモジュール３０５に対する電力供給をＯＦＦにしないよう制御する。
【００１９】
電源出力回路４０５は、ラッチ回路４０４の制御に基づき、モジュール３０５に対し電力の供給を行う。尚、モジュール３０５は、電源出力回路４０５からの電力供給を受けることでＯＳを起動させ、無線通信装置３００の無線通信機能は起動する。またラッチ回路４０４からの停止要求によってＯＳを停止させ、無線通信装置３００の無線通信機能は停止する。
【００２０】
補助電源回路４０８は、主電源３０８から電源供給を受けることで、ＬＡＮインターフェイス４０１、制御回路４０２、ラッチ回路４０４、および液晶パネル３０９に電源を供給する。尚、主電源３０８は電源部３０４内の補助電源回路４０８および電源出力回路４０５に電源供給のＯＮまたはＯＦＦを行うのみであり、主電源３０８は、外部から自身への電源供給がＯＮになったとき、補助電源回路４０８および電源出力回路４０５に対し電源供給を行う。また、電源出力回路４０５は、このように主電源３０８の電源供給のみがＯＮの状態である場合は、ラッチ回路４０４の制御によってモジュール３０５への電力供給を行わない。
【００２１】
次に、無線通信装置３００の起動処理を図３のフローチャートを参照しつつ説明する。無線通信装置３００の起動については、まず主電源３０８がＯＮになることで（ステップＳ１）、電源部３０４内の補助電源回路４０８および電源出力回路４０５に電源が供給され、さらに補助電源回路４０８からＬＡＮインターフェイス４０１、制御回路４０２、ラッチ回路４０４、および液晶パネル３０９に電源が供給される（ステップＳ２）。また、このとき電源出力回路４０５はモジュール３０５への電力供給をＯＦＦの状態に制御されるため、無線通信装置３００の無線通信機能は起動しない。
【００２２】
次にネットワークまたは本体スイッチからモジュール３０５の電力供給をＯＮにする信号がラッチ回路４０４に送られる（ステップＳ３）。尚、ネットワークからの信号である場合は、ネットワークからの起動指示をＬＡＮインターフェイス４０１を介して制御回路４０２が取得することで、ラッチ回路４０４に信号が送られる。
【００２３】
この信号がラッチ回路４０４に入力されることで（ステップＳ４）、ラッチ回路４０４は、モジュール３０５に電力供給がなされるよう、電源出力回路４０５をＯＮに制御する。これにより電源出力回路４０５は、モジュール３０５に電力を供給し（ステップＳ５）、モジュール３０５のＯＳが起動処理を開始する（ステップＳ６）。ＯＳの起動処理が完了すると無線通信装置３００は通信可能な状態となる（ステップＳ７）。
【００２４】
次に、無線通信装置３００の停止処理を図４のフローチャートを参照しつつ説明する。尚、無線通信装置３００の停止については、安全な停止を行うためにモジュール３０５のＯＳの状態も考慮する必要がある。
【００２５】
まず、ネットワークまたは本体スイッチ３０１により電源ＯＦＦの信号がラッチ回路４０４に送られる（ステップＳ１０）。尚、ネットワークからの信号である場合は、ネットワークからの停止指示をＬＡＮインターフェイス４０１を介して制御回路４０２が取得することで、ラッチ回路４０４に信号が送られる。このときラッチ回路４０４および制御回路４０２はモジュール３０５におけるＯＳの処理状態を把握しており、ラッチ回路４０４および制御回路４０２でＯＳの起動または停止処理（以下、起動停止処理）が完了しているかの判断がなされる（ステップＳ１１）。
【００２６】
ここで、ＯＳの起動停止処理が未完了の場合（ステップＳ１２、未完了）、制御回路４０２は液晶パネル３０９と制御端末３０２に「ＯＳの起動停止処理中」旨のメッセージを表示し（ステップＳ１３）、ユーザに起動停止処理中のため無線通信装置３００の無線通信機能を停止できないことを通知する（尚、停止処理中において無線通信装置３００をＯＮにする場合があるが、そのときも上記表示と同様に処理し、制御が無効となる）。
【００２７】
一方、モジュール３０５のＯＳの起動停止処理が完了している場合（ステップＳ１２、完了）、制御回路４０２は、さらに起動処理が完了したのか停止処理が完了したのかを判定する（ステップＳ１４）。停止処理が完了の場合は（ステップＳ１４、ＯＳの停止処理完了）、モジュール３０５はＯＳの停止処理完了信号をラッチ回路４０４に送る（ステップＳ１７）。この信号によりラッチ回路４０４が電源出力回路４０５に対し電力供給をＯＦＦするよう制御し、電源出力回路４０５はモジュール３０５に対する電力供給をＯＦＦにする（ステップＳ１８）。その後、無線通信装置３００の停止が行われる（ステップＳ１９）。
【００２８】
一方、ステップＳ１４で、ＯＳの起動処理完了の場合は（ステップＳ１４、ＯＳの起動処理完了）、ネットワーク（ＬＡＮインターフェイス４０１、制御回路４０２経由）または本体スイッチ３０１から信号を受けたラッチ回路４０４は、ＯＳを備えるモジュール３０５に停止要求の信号を送る（ステップＳ１５）。この信号によりＯＳは停止処理を行う（ステップＳ１６）。それ以降（ステップＳ１７からステップＳ１９まで）の動作は上述のＯＳの停止処理完了（ステップＳ１４、ＯＳの停止処理完了）の場合と同様である。
【００２９】
最後に、無線通信装置３００の停止が行われた後、主電源３０８が断とされることにより、無線通信装置３００への電源供給は切断される（ステップＳ２０）。
【００３０】
ここで、液晶パネル３０９および制御端末３０２の表示について説明する。無線通信装置３００はモジュール３０５のＯＳの起動停止処理中であるか否かによって電源の制御状態が異なるため、その状態を液晶パネル３０９およびネットワークに接続された制御端末にて表示を行う。
【００３１】
モジュール３０５のＯＳが起動処理完了の場合、液晶パネル３０９は「通信可能です」もしくは無線通信状態における無線通信方式を表示する。また液晶パネル３０９は、モジュール３０５のＯＳが停止処理完了（主電源３０８は断されていない）の場合、「停止中です」と表示する。
【００３２】
また、液晶パネル３０９は、事前に起動処理中または停止処理中が判定されている場合において、モジュール３０５のＯＳが起動処理中の場合、「ＯＳの起動処理中です」と表示し、モジュール３０５のＯＳが停止処理中の場合、「ＯＳの停止処理中です」と表示する。尚、モジュール３０５のＯＳが起動処理中または停止処理中に電源制御が行われる場合は、液晶パネル３０９は「処理完了後に制御をお願いします」と表示する。これら全ての表示内容は制御端末３０２も同様である。
【００３３】
液晶パネル３０９および制御端末３０２は、上述の電源制御状態に拘らず、時刻や通信方式、受信したデータなども表示可能である。
【００３４】
尚、通信部は本実施の形態におけるモジュール３０５に対応し、取得部は本実施の形態におけるＬＡＮインターフェイス４０１に対応する。また、電力制御部は本実施の形態における制御回路４０２、ラッチ回路４０４、電源出力回路４０５に対応する。
【００３５】
本実施の形態により、以下の効果を奏する。
【００３６】
無線通信装置の無線通信機能に対する電力供給の制御が本体スイッチおよびＬＡＮという共通化されたネットワークからの操作で可能となるため、電力供給のＯＮまたはＯＦＦにおける操作性の向上、および配線、インターフェイスの共通化を図ることができ、無線通信システムの開発期間の短縮および配線費用を低減することができる。
【００３７】
また、本実施の形態における電源部をメインとした電源機構は、運用場面に応じた電源操作機能を提供することができるため、無線通信システムを構成する他の無線通信器材（例えば電源増幅器、空中線、切り替え器、秘匿器）にも適用することができ、よって無線通信システムの開発期間の短縮および配線費用を低減する。
【００３８】
さらに、無線通信装置の無線通信機能、性能を実現するプロセッサ（本実施の形態におけるモジュール３０５内のプロセッサ）を用いないで電源制御用に機能を限定したプロセッサ（本実施の形態における制御回路４０２内のプロセッサ）のみを用い、電源制御を行うことで、消費電力を低減することができる。
【００３９】
また無線通信装置の動作状態を本体の液晶パネルもしくはネットワーク上の制御端末を用いて情報をユーザに伝えることができることで、ユーザは状態を把握することができ、制御の安全性を高め、また利便性が向上する。
【図面の簡単な説明】
【００４０】
【図１】本実施の形態に係る無線通信装置および電源制御システムの構成の一例を示す図である。
【図２】本実施の形態に係る電源部の構成の一例を示す図である。
【図３】本実施の形態に係る無線通信装置の起動処理の一例を示すフローチャートである。
【図４】本実施の形態に係る無線通信装置の停止処理の一例を示すフローチャートである。
【図５】従来の無線通信装置における電源制御の構成を示す図である。
【図６】従来のソフトウェア無線通信装置における電源制御の構成を示す図である。
【符号の説明】
【００４１】
３００  無線通信装置、３０１  本体スイッチ、３０２  制御端末、３０３  無停電電源装置、３０４  電源部、３０５  モジュール、３０６  電力増幅器、３０７  アンテナ、３０８  主電源、３０９  液晶パネル、４０１  ＬＡＮインターフェイス、４０２  制御回路、４０４  ラッチ回路、４０５  電源出力回路、４０８  補助電源回路。
【図１】
0005014958.tif 000002
【図２】
0005014958.tif 000003
【図３】
0005014958.tif 000004
【図４】
0005014958.tif 000005
【図５】
0005014958.tif 000006
【図６】
0005014958.tif 000007